(57)【要約】【課題】  円滑な昇降作動と、昇降作動の際においても入浴者の好ましい姿勢を維持することができる昇降機能付浴槽を提供すること。【解決手段】  昇降機能付浴槽１は、浴槽本体４と、入浴者の身体を載置するためのネット２と、ネット２の繰り出し又は巻き取りを行うための巻き取りロッド３１と、巻き取りロッド３１を操作するための操作ハンドル３６とを備え、浴槽本体４の内部であって入浴者の頭部側に巻き取りロッド３１が設けられている。浴槽本体４は身体入浴用の第１浴槽４１と洗髪用の第２浴槽４２とを備え、その両浴槽の間に設けられている仕切り部４３に巻き取りロッド３１が回転可能に支持されている。  【選択図】  図１
2006238939.tif 000002
【特許請求の範囲】
【請求項１】
浴槽本体と、入浴者の身体を該浴槽本体内において昇降自在に載置するためのネットと、該ネットを昇降させるために該ネットの繰り出しまたは巻き取りを行うための巻き取りロッドと、該巻き取りロッドを操作するための操作ハンドルとを備え、前記浴槽本体の内部であって入浴者の頭部側に前記巻き取りロッドが設けられていることを特徴とする昇降機能付浴槽。
【請求項２】
前記浴槽本体は、身体入浴用の第１浴槽と洗髪用の第２浴槽とを備え、これらの第１及び第２の浴槽の間に前記巻き取りロッドが設けられている請求項１記載の昇降機能付浴槽。
【請求項３】
前記第１浴槽と前記第２浴槽との間には、巻き取りロッドを回転可能に支持するリブ状の仕切り部が設けられている請求項２記載の昇降機能付浴槽。
【請求項４】
前記操作ハンドルが前記浴槽本体の外部であって前記第２浴槽の裏側に位置している請求項２に記載の昇降機能付浴槽。
【発明の詳細な説明】
【技術分野】
【０００１】
本発明は、昇降機能付浴槽に関し、より詳しくは、訪問入浴車に搭載等されて病人、身障者、老人等の入浴者の元に出向き、それらの者を入浴させるための訪問入浴用浴槽に適した昇降機能付浴槽に関する。
【背景技術】
【０００２】
従来の昇降機能付浴槽としては、例えば、以下の特許文献１に記載されたものが知られている。この従来の昇降機能付浴槽を図３に示す。
【０００３】
この昇降機能付浴槽１１は、浴槽本体１２と、該浴槽本体１２内に張り渡されたネット１３と、ネット１３の入浴者の頭部側に設けられている一対の頭部側ワイヤ１４と、ネット１３の入浴者の脚部側に設けられている一対のワイヤ１５と、該ワイヤ１５を巻き上げるためのワイヤ巻き上げ機構１６と、該ワイヤ巻き上げ機構１６を手動により作動させるためのハンドル１７とを備えている。これらの頭部側ワイヤ１４とワイヤ１５は、ネット１３の幅方向両縁部のそれぞれにおいて、各縁部設けられたワイヤ挿通孔（図示せず）を通って伸びる一本のワイヤとなっている。
【０００４】
この従来の昇降機能付浴槽１１では、スタッフが必用に応じてハンドル１７を操作し、ネット１３上に載置された入浴者の身体を浴槽本体１２内において昇降させ、入浴者を入浴させるようになっている。
【０００５】
【特許文献１】登録実用新案第３０３９１０７号公報
【発明の開示】
【発明が解決しようとする課題】
【０００６】
上記の昇降機能付浴槽１１では、ワイヤ１５がワイヤ巻き上げ機構１６により巻き上げられると、入浴者の足が浴槽本体１２の脚側内壁面１９に接触し、巻き上げ操作が困難になるという問題点があった。これは、入浴中に入浴者の下半身が、その自重により、入浴者の脚側へずれるように移動するためである。すなわち、入浴者の身体はネット１３で支持しているため、臀部を中心としたネット１３の落ち込みが生じ、その落ち込みに向かって上半身が下半身側へ移動するためである。
【０００７】
また、上記の昇降機能付浴槽１１では、ワイヤ巻き上げ機構１６を操作すると入浴者の身体がネット１３上において好ましくない方向へ移動してしまうことがある。すなわち、入浴者の体を洗った後にシャワーで洗浄する場合、ワイヤ巻上機構１６を巻き上げて入浴者の身体を水平にする必要があるが、ネット１３全体が入浴者の脚部側に引き込まれてゆくため、入浴者の身体が所望の位置から遠ざかる方向へ移動してしまう。このため、ワイヤ巻き上げ機構１６の操作の度に入浴者の姿勢を修正するための移動作業が必要となるという問題もあった。
【０００８】
さらに、ワイヤ巻き上げ機構１６が入浴者の足元側に位置していることから、スタッフがワイヤ巻き上げ機構１６を操作する場合入浴者の足元側に位置することになり、そのため入浴者が羞恥心をいだくことがあるという問題もあった。
【０００９】
これらの問題を解決するためにワイヤ巻き上げ機構１６を入浴者の頭部側に移動させることも考えられるが、そうするとワイヤの巻き上げの際に入浴者の髪の毛が絡みついたりする危険があり、またワイヤが入浴者の頭部両側に位置することから洗髪作業がやりにくいという問題がある。
【００１０】
本発明は以上のような問題に鑑みなされたもので、円滑な昇降作動と、昇降作動の際においても入浴者の好ましい姿勢を維持することができる昇降機能付浴槽を提供することを目的とする。
【課題を解決するための手段】
【００１１】
本発明に係る昇降機能付浴槽は、浴槽本体と、入浴者の身体を該浴槽本体内において昇降自在に載置するためのネットと、該ネットを昇降させるために該ネットの繰り出しまたは巻き取りを行うための巻き取りロッドと、該巻き取りロッドを操作するための操作ハンドルとを備え、前記浴槽本体の内部であって入浴者の頭部側に前記巻き取りロッドが設けられていることを特徴とする。
【００１２】
本発明によれば、入浴者の頭部側に巻き取りロッドを設けたため、身体入浴と洗髪の際における入浴者の身体を搭載するネットの繰り出し又は巻き取り方向と入浴者の上半身の望ましい移動方向とを一致させることができる。このため、ネットの巻き取り作業毎に行わなければならなった入浴者の姿勢の修正作業を必要としない。また、ネットの繰り出し操作時に入浴者の足が浴槽本体の脚側内壁面に接触しても、巻き取り操作時には円滑な昇降作動を実現することができる。
【００１３】
さらに、本発明に係る昇降機能付浴槽は、前記浴槽本体が身体入浴用の第１浴槽と洗髪用の第２浴槽とを備え、これらの第１及び第２浴槽の間に前記巻き取りロッドが設けられていることが好ましい。これにより、洗髪のため頭部を第２浴槽側に突き出した姿勢をとった場合においても、巻き取りロッドが洗髪作業の邪魔にならないという効果がある。
【００１４】
さらに、本発明に係る昇降機能付浴槽は、前記第１浴槽と前記第２浴槽との間には巻き取りロッドを回転可能に支持するリブ状の仕切り部が設けられていることが好ましい。これにより、第１浴槽と第２浴槽との間のリブ状の仕切り部に巻き取りロッドを設けたため、巻き取りロッドの支持剛性を飛躍的に高めることができる。
【００１５】
さらに、本発明に係る昇降機能付浴槽は、前記操作ハンドルが前記浴槽本体の外部であって前記第２浴槽の裏側に位置していることが好ましい。これにより、操作ハンドルが浴槽本体の長手方向外側に突出することもなく、操作ハンドルの先端を含めた浴槽本体の全長が長くなることがない。
【発明を実施するための最良の形態】
【００１６】
以下、添付図面を参照しつつ本発明に係る実施形態の昇降機能付浴槽について詳細に説明する。
【００１７】
図１は、本実施形態の昇降機能付浴槽１を示す斜視図であり、図２は、当該昇降機能付浴槽１の要部の分解斜視図である。この昇降機能付浴槽１は、概ね、浴槽本体４と、入浴者の身体を支持するために浴槽本体４に張設されたネット２と、このネット２の昇降機能を果たす昇降操作部３とから構成されている。
【００１８】
ネット２は、所定間隔をおいて浴槽本体４の長手方向に伸びる一対のベルト２１と、これらのベルト２１の両端側を除いた部分を所定間隔をおいて相互に連結する複数（４本）の連結ベルト２２Ａ、２２Ｂ、２２Ｃ、２２Ｄと、これら一対のベルト２１と複数の連結ベルトのうち長手方向両外側の連結ベルト２２Ａ、２２Ｄに囲まれた領域を覆うように設けられた網目状のシート２５と、から構成されている。ネット２のこのシート２５で覆われた部分に入浴者が載せられる。以上のネット２では、各ベルト２１の最も入浴者の頭部側の連結ベルト２２Ａとの連結部を超えて伸びる部分は巻き取りベルト部２１Ａをなしており、また最も入浴者の脚部側に近い連結ベルト２２Ｄを超えて伸びる部分は支持ベルト部２１Ｂをなしている。
【００１９】
巻き取りベルト部２１Ａの端部には折返し部２１１が設けられており、この折返し部２１１により後述する昇降操作部３の巻き取りフック３２に巻き取りベルト部２１Ａを装着することができる。
【００２０】
支持ベルト部２１Ｂの端部にはバックル２４が設けられており、このバックル２４を介して浴槽本体４の脚部側内壁面４７に設けたフック部材４８に支持ベルト部２１Ｂが固定されるようになっている。
【００２１】
昇降操作部３は、概ね、巻き取りロッド３１と、当該巻き取りロッド３１の一端（図２において右側端部）に連結される連結部品３１Ａと、該連結部品３１Ａに設けられたウォームホイール３３と、ハンドル軸３５と、ハンドル軸３５の一端側に設けられ、ウォームホイール３３と噛合するウォーム３４と、ハンドル軸３５の他端に設けられた操作ハンドル３６とから構成されている。このウォームホイール３３とウォーム３４とで、ウォームギアをなしている。
【００２２】
巻き取りロッド３１は、浴槽本体４の内部に設けられており、その軸方向に回転可能に浴槽本体４に支持されている。また、この巻き取りロッド３１は、後述する浴槽本体４の身体入浴用の第１浴槽４１と洗髪用の第２浴槽４２との間に設置されている。この巻き取りロッド３１には一対の巻き取りフック３２が設けられている。前述したように、この巻き取りフック３２には巻き取りベルト部２１Ａの折返し部２１１を装着することができる。
【００２３】
巻き取りロッド３１の一端は、浴槽本体４を貫通して浴槽本体４の外部に露出しており、当該部分に連結部品３１Ａが連結されている。巻き取りロッド３１と連結部品３１Ａは、巻き取りロッドの前記一端に形成された凸部と連結部品３１Ａの端部に形成された凹部が嵌合することにより連結されている。この連結部品３１Ａには、同軸に配置されたウォームホイール３３が固定されており、巻き取りロッド３１はこのウォームホイール３３とともに回転する。
【００２４】
ハンドル軸３５は、浴槽本体４の外部に設けられている。このハンドル軸３５は、浴槽本体４の入浴者の頭部方向、即ち後述する洗髪用に設けられている第２浴槽４２の入浴者の頭部方向側に突出し、その先端に操作ハンドル３６が設けられている。これらのハンドル軸３５および操作ハンドル３６は、浴槽本体４の外部であって第２浴槽の裏側に位置している。これにより、操作ハンドル３６が浴槽本体４の長手方向外側に突出することもなく、操作ハンドル３６の先端を含めた昇降機能付き浴槽１の全長が長くなることがない。
【００２５】
このハンドル軸３５は、操作ハンドル３６を回転することにより生じる回転力をウォーム３４と、このウォーム３４と噛合するウォームホイール３３とを介して巻き取りロッド３１に伝達する。これらのウォーム３４およびウォームホイール３３によって、ネット２の繰り出し又は巻き取り操作の際の操作ハンドル３６の回転抵抗を小さくすることができる。
【００２６】
浴槽本体４は、いわゆる訪問入浴用の分割浴槽であって、２分割可能な構成となっている。この浴槽本体４は、入浴者の身体入浴用の第１浴槽４１と洗髪用の第２浴槽４２とを有している。第１浴槽４１は、入浴者の胴部と脚部とを収容することができるように形成され、また第２浴槽４２は、入浴者の頭部を収容することができるように形成されている。第１浴槽４１と第２浴槽４２との間には、リブ状の仕切り部４３が設けられている。この仕切り部４３により第２浴槽４２に溜まる洗髪に用いた湯が第１浴槽４１に流入することが防止される。また、この仕切り部４３は、浴槽本体４の全体に対して補強用リブとしても機能するため、上記巻き取りロッド３１の両端を堅固に支持することができる。
【００２７】
以下、本実施形態の昇降機能付浴槽１の作用効果を説明する。
入浴者をネット２上に載置する前に、操作ハンドル３６を順回転させて巻き取りロッド３１を回転させ、ネット２の巻き取りベルト部２１Ａを巻き取り、第１浴槽４１上にネット２を水平に張り渡し、その後入浴者をネット２上に載置する。
【００２８】
次に入浴者の身体入浴を行う際には、操作ハンドル３６を逆回転させて入浴者を載置したネット２を徐々に弛ませてゆく。操作ハンドル３６を逆回転することによりハンドル軸３５及びウォーム３４が回転し、ウォーム３４と噛合しているウォームホイール３３が回転することによって巻き取りロッド３１が巻き取りベルト部２１Ａの繰り出し方向に回転する。
【００２９】
この操作ハンドル３６の逆回転により、巻き取りロッド３１に巻き取られていた巻き取りベルト部２１Ａが繰り出されると、入浴者の下半身の重みにより入浴者の上半身は下半身側に若干ずれながら身体入浴用の第１浴槽４１内へ徐々に落とし込まれていく。巻き取りベルト部２１Ａの繰り出し方向と身体入浴を行う際に必要となる上半身の移動方向が一致しているため、入浴者の身体を移動させる手間を省くことができ作業性の向上を実現することができる。
【００３０】
また、この際、操作ハンドル３６の操作者は入浴者の頭部側に位置しているため、入浴者の頭部や頸部を片手で支持しながら当該操作をすることが可能となる。また、入浴者にとっても操作者が入浴者の脚部側ではなく頭部側に位置しているため心理的な安心感がある。作業性の向上とともにこの入浴者の心理的な負担を大幅に減少させることが本発明における大きな利点の一つである。
【００３１】
次に、入浴者の体を洗った後にシャワーで洗浄する際には、操作ハンドル３６を順回転させてネット２の巻き取りベルト部２１Ａを徐々に巻き上げて、入浴者を身体入浴の状態から水平状態に持ち上げてゆく。
【００３２】
この操作ハンドル３６の順回転により、巻き取りロッド３１に巻き取りベルト部２１Ａが巻き上げられていくとネット２が入浴者の上半身を頭部側に引き上げるように移動してゆくため、入浴者の身体全体が頭部側に引き上げられるように移動する。したがって、巻き取りベルト部２１Ａの巻上げ方向とシャワーで洗浄しその後にタオルで身体に付着した水滴を拭く際に必要な上半身の移動方向とが一致して、入浴者の身体を所望の位置まで比較的楽に移動させることができるので、作業性の向上を実現することができる。
【００３３】
また、この際、操作ハンドル３６の操作者は入浴者の頭部側に位置しているため、入浴者の頭部や頸部を片手で支持しながら当該操作をすることが可能となる。さらに、操作者は入浴者の頭部の位置や入浴者の身体の位置を身近な場所から確認できるため、正確な操作を実現することができる。
【００３４】
さらに、巻き取りロッド３１が第１浴槽４１と第２浴槽４２との間に設けられているため、洗髪のため頭部を第２浴槽４２側に突き出した姿勢をとった場合においても、巻き取りロッド３１や巻き取りベルト部２１Ａが洗髪作業の邪魔にならないという利点がある。なお、洗髪を行う際には、ネット２に枕を取り付け、入浴者の頭部や頸部が巻き取りロッド３１に当たらないようにすることが好ましい。
【００３５】
以上、本発明を図面に記載された好適実施形態に基づいて説明したが、本発明の昇降機能付き浴槽１は、以上の実施形態に限定されるものではなく、種々の改良や改変が可能である。
【００３６】
例えば、以上の実施形態では、浴槽本体４は、訪問入浴用の分割浴槽として説明してあるが、本発明の浴槽本体は、このような分割浴槽に限られず、一体型の浴槽であってもよいことは言うまでもない。また、訪問入浴用の浴槽にも限定されず、病院や老人施設などで用いられる設置型の浴槽であってもよいことも言うまでもない。
【００３７】
また、以上の実施形態の昇降機能付浴槽１は、巻き取りロッド３１とハンドル軸３５とを直交させ、操作ハンドル３６を手動操作する構成となっているが、巻き取りロッド３１を電動モータを用いた電動巻き上げ器で直接回転させる構成にしてもよい。
【００３８】
さらに、以上の実施形態では、ネット２の巻き上げをベルト２１の巻き上げベルト部２１Ａを介して行っているが、従来例のように、ネットの張設にワイヤを用いたものであってもよい。
【図面の簡単な説明】
【００３９】
【図１】本発明に係る実施形態の昇降機能付浴槽１の斜視図であり、第１浴槽４１と第２浴槽４２の配置状態と巻き取りロッド３１の設置状態が示されている。なお、本図においてネット２は取外されている。
【図２】図１に示す昇降機能付浴槽１の要部の分解斜視図であり、昇降操作部３を構成する各部材とネット２の配置関係等が示されている。
【図３】従来の昇降機能付浴槽１１の平面図である。
【符号の説明】
【００４０】
１、１１  昇降機能付浴槽
２、１３  ネット
１４、１５  ワイヤ
１６  ワイヤ巻き上げ機構
１７  ハンドル
１９  脚側内壁面
２１  ベルト
２１Ａ  巻き取りベルト部
２１１  折返し部
２１Ｂ  支持ベルト部
２２Ａ〜２２Ｄ  連結ベルト
２４  バックル
２５  シート
３    昇降操作部
３１  巻き取りロッド
３１Ａ  連結部品
３２  巻き取りフック
３３  ウォームホイール
３４  ウォーム
３５  ハンドル軸
３６  操作ハンドル
４、１２  浴槽本体
４１  第１浴槽
４２  第２浴槽
４３  仕切り部
４７  脚部側内壁面
４８  フック部材
【図１】
2006238939.tif 000003
【図２】
2006238939.tif 000004
【図３】
2006238939.tif 000005